(57)【要約】【課題】電子製品の中に設けた電池の電力を使い果たした後でも、電力を直接供給し、電子製品が満充電されるまで充填することができる携帯型充電手段を提供する。【解決手段】携帯型充電手段は、充放電可能な予備用電池１及び充電装置２を備える。予備用電池１は、側縁にプラグ受け１１を有する。充電装置２は、予備用電池１のプラグ受け１１に対応するプラグ２３を有し、予備用電池１に対応するように、底端面に凹設された凹弧部により、予備用電池１の外縁に取り付けられ、プラグ２３と電気的に接続された昇圧ユニットを有し、昇圧ユニットには、他方の端部に出力端子２６を有するワイヤ２５が接続されている。充電装置２は、側部に固設された位置決め帯体２７を有する。位置決め帯体２７は、前段部の端面に、貼り合わせ端２７２を有し、後段部の端面に、貼り合わせ端２７２に対応した調整固定端２７３を有する。【選択図】図１
2011142745.tif 000002
【特許請求の範囲】
【請求項１】
充放電可能な予備用電池及び充電装置を備える携帯型充電手段であって、
前記予備用電池は、側縁にプラグ受けを有し、
前記充電装置は、前記予備用電池の前記プラグ受けに対応するプラグを有し、前記予備用電池に対応するように、底端面に凹設された凹弧部により、前記予備用電池の外縁に取り付けられ、前記プラグと電気的に接続された昇圧ユニットを有し、前記昇圧ユニットには、他方の端部に出力端子を有するワイヤが接続され、
前記充電装置は、側部に固設された位置決め帯体を有し、
前記位置決め帯体は、前段部の端面に、貼り合わせ端を有し、後段部の端面に、前記貼り合わせ端に対応した調整固定端を有することを特徴とする携帯型充電手段。
【請求項２】
前記充電装置は、互いに対応した第１の筐体及び第２の筐体を有し、
前記第１の筐体には、前記プラグを挿入する組立孔が開設され、
前記第１の筐体の底端面には、前記予備用電池に対応する前記凹弧部が凹設され、
前記第１の筐体と前記第２の筐体との間には、前記昇圧ユニットが設けられ、
前記第１の筐体の側部には、係合部が設けられ、前記第１の筐体と前記第２の筐体との間には、前記位置決め帯体が固設され、
前記位置決め帯体の前端には、前記第１の筐体の前記係合部に対応した係合溝が設けられていることを特徴とする請求項１に記載の携帯型充電手段。
【請求項３】
前記充電装置の前記出力端子は、電子製品の様々な規格に応じて挿着することが可能なアダプタを有することを特徴とする請求項１に記載の携帯型充電手段。
【発明の詳細な説明】
【技術分野】
【０００１】
本発明は充電手段に関し、特に、携帯に便利な携帯型充電手段（携帯型充電ユニット）に関する。
【背景技術】
【０００２】
科学技術の発展に伴い、人々の生活を便利にする各種装置が続々と開発されている。一般によく見かける各種電子製品は、ユーザが様々な所望の機能を容易に得ることができるように、一般に利用し易い電源を動力源として用いている。電子製品は、人々の生活の利便性を高めるため、広く普及している。また、各種電子製品は、外出の際、携帯に便利なように、充電電池により電力を供給することが一般的であった。
【０００３】
充電電池は、再充電することにより所定の機能を得るが、実際の使用では、外出の際、利用できる商用電源が見つからないことがあった。そして、充電電池の電力を使い果たした後に商用電源が探せない場合、電子製品を充電することができずに使用することができなくなる虞があった。
【発明の概要】
【発明が解決しようとする課題】
【０００４】
本発明の目的は、電子製品の中に設けた電池の電力を使い果たした後でも、電力を直接に供給し、電子製品を満充電するまで充填することにより、外出中に再充電するための電源が利用できずに、電子製品が使えなくなることを防ぐ携帯型充電手段を提供することにある。
【課題を解決するための手段】
【０００５】
上記課題を解決するために、本発明の第１の形態によれば、充放電可能な予備用電池及び充電装置を備える携帯型充電手段であって、前記予備用電池は、側縁にプラグ受けを有し、前記充電装置は、前記予備用電池の前記プラグ受けに対応するプラグを有し、前記予備用電池に対応するように、底端面に凹設された凹弧部により、前記予備用電池の外縁に取り付けられ、前記プラグと電気的に接続された昇圧ユニットを有し、前記昇圧ユニットには、他方の端部に出力端子を有するワイヤが接続され、前記充電装置は、側部に固設された位置決め帯体を有し、前記位置決め帯体は、前段部の端面に、貼り合わせ端を有し、後段部の端面に、前記貼り合わせ端に対応した調整固定端を有することを特徴とする携帯型充電手段が提供される。
【０００６】
また、前記充電装置は、互いに対応した第１の筐体及び第２の筐体を有し、前記第１の筐体には、前記プラグを挿入する組立孔が開設され、前記第１の筐体の底端面には、前記予備用電池に対応する前記凹弧部が凹設され、前記第１の筐体と前記第２の筐体との間には、前記昇圧ユニットが設けられ、前記第１の筐体の側部には、係合部が設けられ、前記第１の筐体と前記第２の筐体との間には、前記位置決め帯体が固設され、前記位置決め帯体の前端には、前記第１の筐体の前記係合部に対応した係合溝が設けられていることが好ましい。
【０００７】
また、前記充電装置の前記出力端子は、電子製品の様々な規格に応じて挿着することが可能なアダプタを有することが好ましい。
【発明の効果】
【０００８】
本発明の携帯型充電手段は、以下（１）及び（２）の効果を有する。
（１）充放電可能な予備電池に設けたプラグ受けに、充電装置を直接挿着して各種電子製品を取り付けたり、アダプタを利用して各種電子製品を挿着したりし、充電装置の中に設けた昇圧ユニットにより、充放電可能な予備用電池の中に保存した電力の昇圧を行い、挿着した電子製品が満充電されるまで充填することができる。
（２）充放電可能な予備用電池は、携帯に便利な上、電子製品の中に設けた電池の電力を使い果たした後でも、電子製品が満充電されるまで充填することができるため、外出中に再充電するための電源が見つからずに、電子製品が使えなくなることを防ぐことができる。
【図面の簡単な説明】
【０００９】
【図１】本発明の一実施形態による携帯型充電手段を示す斜視図である。
【図２】本発明の一実施形態による充電装置を示す分解斜視図である。
【図３】本発明の一実施形態による携帯型充電手段を組み立てたときの状態を示す斜視図である。
【図４】本発明の一実施形態による携帯型充電手段を組み立てたときの状態を示す正面断面図である。
【図５】本発明の一実施形態による昇圧ユニットを示す回路図である。
【図６】本発明の第１実施形態による携帯型充電手段を使用するときの状態を示す斜視図である。
【図７】本発明の第２実施形態による携帯型充電手段を使用するときの状態を示す斜視図である。
【発明を実施するための形態】
【００１０】
図１を参照する。図１に示すように、本実施形態の携帯型充電手段は、充放電可能な予備用電池１及び充電装置２を含む。
【００１１】
予備用電池１は、一般の電池として使用したり、商用電源を利用して充電したりすることができ、プラグ受け１１が側縁に設けられている。
【００１２】
図２を参照する。図２に示すように、本実施形態の充電装置２は、互いに対応した第１の筐体２１及び第２の筐体２２を含む。第１の筐体２１には、組立孔２１１が設けられている。組立孔２１１の中には、予備用電池１のプラグ受け１１に対応したプラグ２３が挿着される。第１の筐体２１の底端面には、予備用電池１に対応するように、凹弧部２１２が凹設されている。第１の筐体２１は、凹弧部２１２により予備用電池１の外縁に取り付けられている（図３及び図４に示す）。第１の筐体２１と第２の筐体２２との間には、昇圧ユニット２４が設けられている（図５に示す）。昇圧ユニット２４は、プラグ２３と電気的に接続され、ワイヤ２５の一方の端部と接続されている。ワイヤ２５の他方の端部は、出力端子２６と接続されている。第１の筐体２１の側部には、係合部２１３が設けられ、第１の筐体２１と第２の筐体２２との間には、位置決め帯体２７が固設されている。位置決め帯体２７の前端部には、第１の筐体２１の係合部２１３に対応するように係合溝２７１が開設されている。位置決め帯体２７は、貼り合わせ端２７２が前段部の端面に形成され、貼り合わせ端２７２に対応するように、後段部の端面に調整用固定端２７３が形成されている。
【００１３】
図３を参照する。図３に示すように、充放電可能な予備用電池１のプラグ受け１１に、充電装置２のプラグ２３を押圧して結合すると、充電装置２の第１の筐体２１の底端面に凹設された凹弧部２１２により、予備用電池１の外縁が取り付けられる。充電装置２の第１の筐体２１及び第２の筐体２２の側部に固設された位置決め帯体２７は、予備用電池１及び充電装置２の第１の筐体２１及び第２の筐体２２の外縁に巻き付け、予備用電池１及び充電装置２の第１の筐体２１と第２の筐体２２とを互いに結合固定してから、位置決め帯体２７の前段部の貼り合わせ端２７２を、位置決め帯体２７の後段部の端面の調整用固定端２７３上に貼着し、予備用電池１及び充電装置２の第１の筐体２１と第２の筐体２２とが互いに外れないようにする。
【００１４】
商用電源に予備用電池１を接続して充電を完了した後、予備用電池１のプラグ受け１１に、充電装置２のプラグ２３を挿着した後、充電装置２のワイヤ２５の他方の端部が有する出力端子２６を各種電子製品に挿着し、予備用電池１の中に保存した電力を充電装置２の内部に配置した昇圧ユニット２４により昇圧し、挿着した電子製品が満充電されるまで充電する。
【００１５】
図６及び図７を参照する。図６及び図７に示すように、充電装置２のワイヤ２５の他方の端部が有する出力端子２６は、様々な電子製品の様々な規格に応じて挿着したアダプタ２６１を各種電子製品に挿着し、予備用電池１の中に保存した電力により電子製品が満充電されるまで充電を行う。
【００１６】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００１７】
１  予備用電池
２  充電装置
１１  プラグ受け
２１  第１の筐体
２２  第２の筐体
２３  プラグ
２４  昇圧ユニット
２５  ワイヤ
２６  出力端子
２７  位置決め帯体
２１１  組立孔
２１２  凹弧部
２１３  係合部
２６１  アダプタ
２７１  係合溝
２７２  貼り合わせ端
２７３  調整用固定端
【図１】
2011142745.tif 000003
【図２】
2011142745.tif 000004
【図３】
2011142745.tif 000005
【図４】
2011142745.tif 000006
【図５】
2011142745.tif 000007
【図６】
2011142745.tif 000008
【図７】
2011142745.tif 000009